(57)【要約】【課題】加湿機に給水する水の抗菌機能高めるとともに長期間に亘り安定して維持することを目的とする。【解決手段】吸気口１３０と吹出口１４０とを連通する風路１５０と、送風機１６０と、空気を加湿する加湿フィルタ２３０と、加湿フィルタ２３０に給水する加湿トレー２２０と、加湿トレー２２０に給水する水を貯水する給水タンク２１０とを含み、給水タンク２１０はタンク本体２１１と、着脱自在な蓋２１２と、抗菌ユニット２８０とを備え、抗菌ユニット２８０は蓋２１２の内側に着脱自在な格子状の抗菌ユニットカバー２８１と抗菌剤２８２とを備え、抗菌剤２８２は抗菌ユニットカバー２８１を介して蓋２１２に着脱可能に支持させた構成とすることにより、抗菌ユニットカバーを着脱して抗菌剤を交換することが可能となり、抗菌剤を交換することにより高い抗菌機能を長期間に亘って安定して維持することができる。【選択図】図３
2013155958.tif 000002
【特許請求の範囲】
【請求項１】
本体の外面に開口された吸気口と吹出口とを連通する風路と、
前記風路の途中に配置され空気を送風する送風機と、
前記送風機で送風された空気を加湿する加湿フィルタと、
前記加湿フィルタに給水する加湿トレーと、
前記加湿トレーに給水する水を貯水する給水タンクと、を含み、
前記給水タンクは、給水口を備えたタンク本体と、前記給水口に着脱自在な蓋と、抗菌ユニットと、を備え、
前記抗菌ユニットは、前記蓋の内側に着脱自在な格子状の抗菌ユニットカバーと、抗菌剤と、を備え、
前記抗菌剤は、前記抗菌剤ユニットカバーを介して前記蓋に着脱可能に支持させた構成の、
加湿機。
【請求項２】
前記蓋は、前記給水タンクが前記本体の所定位置に設置された状態で自動的に開放される閉止栓を備え、
前記抗菌ユニットは、前記閉止栓を取り囲むように配置された構成とし、前記給水タンクから前記加湿トレーに給水される水は、前記抗菌ユニットを通過して給水されることを特徴とした、
請求項１に記載の加湿機。
【請求項３】
前記抗菌剤は、六方晶リン酸ジルコニウムに銀イオンを担持させた無機系抗菌剤をポリエチレン樹脂に混練し、ペレット状に成型したものを円環状に形成したネット状の袋に収容した、
請求項１または２に記載の加湿機。
【請求項４】
請求項１〜３のいずれか１項に記載の加湿機と、
前記風路の前記送風機と前記加湿フィルタとの間に空気を加熱するヒータと、を備え、
前記吹出口より加湿された温風を吹き出すことを特徴とする、
加湿温風機。
【請求項５】
前記風路は前記ヒータの下流側で、前記加湿フィルタに連通する加湿風路と、前記加湿フィルタを通過させずに前記吹出口に直接連通する温風風路とに分岐し、
前記風路の分岐点に、前記加湿風路および前記温風風路のいずれか一方または両方に温風を選択的に送風するダンパと、
前記ダンパの操作を行う操作手段を備え、
前記、ダンパの操作により、温風と加湿温風の吹き出しが選択可能な、
請求項４に記載の加湿温風機。
【発明の詳細な説明】
【技術分野】
【０００１】
本発明は、加湿機に給水する水の抗菌機能に関するものである。
【背景技術】
【０００２】
従来、この種の加湿機は、本体の内部に設置された水槽に抗菌剤を含有した樹脂材料で成型した樹脂ブロックを配置し、給水タンクの蓋を抗菌剤を含有した樹脂材料で成型することにより、水槽に貯水された水は樹脂ブロックの抗菌作用により微生物の繁殖を抑制し、給水タンクに貯水された水は蓋の抗菌作用により微生物の繁殖を抑制するようにしている。また、水槽にイオン交換樹脂を内蔵する筒体を配置することにより水に含まれるカルシウムやマグネシウムを除去している（例えば、特許文献１参照）。
【０００３】
図１３は、特許文献１に記載された従来の加湿機を示すものである。図１３に示すように、従来の加湿機は、本体１の内部に備えた水槽２と、水槽２に自動給水する着脱自在な給水タンク３と、空気を送るファン４とを備えている。給水タンク３は抗菌剤を含有した樹脂材料で成型された蓋５を備えており、蓋５は水槽２に供給する水量を調節する給水弁６を有している。水槽２の底部には水を霧化する超音波振動子７と、抗菌剤を含有した樹脂材料を網目状に成型された樹脂ブロック８が設置されている。また、水槽２の給水タンク３の蓋５に対応する部分には、網目状に形成された筒体９が設置されており、筒体９の内部にはイオン交換樹脂１０が収容されている。
【先行技術文献】
【特許文献】
【０００４】
【特許文献１】特開平５−１８０４７１号公報
【発明の概要】
【発明が解決しようとする課題】
【０００５】
しかしながら、前記従来の構成では、水槽に設置する樹脂ブロックと給水タンクの樹脂製の蓋に抗菌剤を含有させて成型したものであり、このような構成の場合、抗菌作用が発揮されるのは樹脂ブロックと蓋に接触または近辺に滞留する水に限られるものと推察される。また、含有させた抗菌剤は水中に溶出したり表面が汚染されることにより短期間に効果が減衰するため、長期間抗菌作用を維持することが困難であり、抗菌作用を長期間に亘り安定して維持するという観点から未だ改善の余地があった。
【０００６】
本発明は、上記従来技術の有する課題に鑑みてなされたものであり、加湿機に給水する水の抗菌機能高めるとともに長期間に亘り安定して維持することを目的とするものである。
【課題を解決するための手段】
【０００７】
前記従来の課題を解決するために、本発明の加湿器は、本体の外面に開口された吸気口と吹出口とを連通する風路と、風路の途中に配置され空気を送風する送風機と、送風機で送風された空気を加湿する加湿フィルタと、加湿フィルタに給水する加湿トレーと、加湿トレーに給水する水を貯水する給水タンクとを含み、給水タンクは、給水口を備えたタンク本体と、給水口に着脱自在な蓋と、抗菌ユニットとを備え、抗菌ユニットは、蓋の内側に着脱自在な格子状の抗菌ユニットカバーと、抗菌剤とを備え、抗菌剤は、抗菌ユニットカバーを介して蓋に着脱可能に支持させた構成の加湿機である。
【０００８】
これにより、抗菌ユニットカバーを着脱して抗菌剤を交換することが可能となり、抗菌
剤を交換することにより高い抗菌機能を長期間に亘って安定して維持することができる。
【発明の効果】
【０００９】
本発明の加湿機は、加湿に使用する水の抗菌機能を長期間に亘り安定して維持することができる。
【図面の簡単な説明】
【００１０】
【図１】本発明の実施の形態１における加湿温風機の外観斜視図
【図２】図１にＡＡで示す断面図
【図３】図１にＢＢで示す断面図
【図４】加湿温風機の給水タンクの着脱操作途中を示す背面側の斜視図
【図５】加湿温風機の本体から給水タンクと加湿トレーを取り外した状態を示す斜視図
【図６】本発明の実施の形態１における給水タンクの外観を示す斜視図
【図７】本発明の実施の形態１における給水タンクの断面図
【図８】本発明の実施の形態１における蓋の断面図
【図９】本発明の実施の形態１における抗菌ユニットを分解した状態の蓋の斜視図
【図１０】本発明の実施の形態１における抗菌ユニットを取り付けた状態の蓋の斜視図
【図１１】本発明の実施の形態１における加湿トレーとフィルタトレーと加湿フィルタの分解状態を示す斜視図
【図１２】本発明の実施の形態１における加湿レートの平面図
【図１３】従来の加湿機の断面図
【発明を実施するための形態】
【００１１】
第１の発明は、本体の外面に開口された吸気口と吹出口とを連通する風路と、前記風路の途中に配置され空気を送風する送風機と、前記送風機で送風された空気を加湿する加湿フィルタと、前記加湿フィルタに給水する加湿トレーと、前記加湿トレーに給水する水を貯水する給水タンクとを含み、前記給水タンクは、給水口を備えたタンク本体と、前記給水口に着脱自在な蓋と、抗菌ユニットとを備え、前記抗菌ユニットは、前記蓋の内側に着脱自在な格子状の抗菌ユニットカバーと、抗菌剤とを備え、前記抗菌剤は、前記抗菌ユニットカバーを介して前記蓋に着脱可能に支持させた構成の加湿機である。
【００１２】
これにより、抗菌ユニットカバーを着脱して抗菌剤を交換することが可能となり、抗菌剤を交換することにより高い抗菌機能を長期間に亘って安定して維持することができる。
【００１３】
第２の発明は、特に第１の発明において、前記蓋は、前記給水タンクが前記本体の所定位置に設置された状態で自動的に開放される閉止栓を備え、前記抗菌ユニットは、前記閉止栓を取り囲むように配置された構成とし、前記給水タンクから前記加湿トレーに給水される水は、前記抗菌ユニットを通過して給水されることを特徴としたものである。
【００１４】
これにより、抗菌剤の効果は給水タンクに貯水されている水と、給水タンクから加湿トレーに給水される水に発揮させることができるため、結果的に加湿機内の全ての水に抗菌作用を発揮させることが可能となる。
【００１５】
第３の発明は、特に第１または第２の発明において、  前記抗菌剤は、六方晶リン酸ジルコニウムに銀イオンを担持させた無機系抗菌剤をポリエチレン樹脂に混練し、ペレット状に成型したものを円環状に形成したネット状の袋に収容したものである。
【００１６】
これにより、抗菌剤の表面積を拡大するとともに、ペレット状の抗菌剤の隙間に通水す
ることが可能となるので、多くの抗菌剤を水中に溶出させることが可能となり、高い抗菌機能を得ることが可能となる。
【００１７】
第４の発明は、第１〜第３の発明のいずれか１つの加湿機と、前記風路の前記送風機と前記加湿フィルタとの間に空気を加熱するヒータとを備え、前記吹出口より加湿された温風を吹き出すことを特徴とする加湿温風機である。
【００１８】
これにより、湿度が低い温風に加湿することができ、適度な湿度を備えた温風で暖房効果を発揮させることができる。
【００１９】
第５の発明は、特に第４の発明において、前記風路は前記ヒータの下流側で、前記加湿フィルタに連通する加湿風路と、前記加湿フィルタを通過させずに前記吹出口に直接連通する温風風路とに分岐し、前記風路の分岐点に、前記加湿風路および前記温風風路のいずれか一方または両方に温風を選択的に送風するダンパと、前記ダンパの操作を行う操作手段を備え、前記ダンパの操作により、温風と加湿温風の吹き出しが選択可能としたものである。
【００２０】
これにより、温風のみの送風と加湿温風の選択が可能となり、短時間の暖房をする場合は温風を選択することにより短時間で昇温することが可能となり、長時間の暖房する場合は加湿温風を選択することにより快適な暖房効果を得ることができる。
【００２１】
以下、本発明の実施の形態について、図面を参照しながら説明する。なお、この実施の形態によって本発明が限定されるものではない。
【００２２】
（実施の形態１）
図１は本実施の形態における加湿機を備えた加湿温風機の外観を示す斜視図であり、図２は図１に示すＡＡ断面図を示し、図３は図１に示すＢＢ断面図を示し、図４は貯水タンクの着脱操作途中を示す斜視図であり、図５は本体から給水タンクと給水トレーを取り外した状態を示す斜視図である。
【００２３】
なお、本実施の形態においては、図１に示す加湿温風機の吹出口を設けた前面側を前とし、吸気口を設けた背面側を後とし、前面から背面に向かって右側を右とし、左側を左として説明をおこなう。また着脱可能な部材については本体に設置した状態での方向に従って説明を行う。
【００２４】
＜１＞加湿機の構成
図１および図４に示すように、加湿温風機１００の本体１１０の上面には操作部１２０が、背面には吸気口１３０が、前面には吹出口１４０が設けられており、図２に示すように本体１１０内には吸気口１３０から吹出口１４０まで風路１５０が連通している。風路１５０には、吸気口１３０に近い最も上流側には送風機１６０が配置されており吸気口１３０から吸引した外気を風路１５０に送風する。
【００２５】
送風機１６０の下流にはヒータ１７０が配置されている。ヒータ１７０は全体で１２００Ｗの容量であるが、全体を２分割した構成であり、低容量の加熱を行うときは、その半分にのみに通電することで６００Ｗの容量で加熱することができる。
【００２６】
風路１５０は送風機１６０とヒータ１７０との間で２本に分岐しており、分岐した風路は静電霧化部１８０を介して吹出口１４０に連通する静電霧化風路１５１を形成している。送風機１６０から送風された少量（約５％）の風量は常時静電霧化風路１５１に供給される構成となっている。
【００２７】
また、風路１５０はヒータ１７０の下流で２本に分岐しており、一方は吹出口１４０に直接連通する温風風路１５２と、他方は加湿部１９０を介して吹出口１４０に連通する加湿風路１５３が形成されている。
【００２８】
風路１５０の分岐点にはダンパ２００が設置されており、ダンパ２００はタイミングモータとギアとクランク等で構成された駆動機構（図示せず）を備えており、ヒータ１７０で加熱された温風を、温風風路１５２のみ、または温風風路１５２と加湿風路１５３の両方に送風することを操作部１２０の操作で選択的に切り替えることができる。
【００２９】
図２に示すようにダンパ２００が位置Ｃの場合、温風は温風風路１５２と加湿風路１５３の両方に同時に送風される。この場合、風量の約１０％を温風風路１５２に送風し、残りを加湿風路１５３に送風する。
【００３０】
ダンパ２００が加湿風路１５３を閉じる位置Ｄに切り替えられた場合は、温風風路１５２にのみ温風が送風される。
【００３１】
操作部１２０には、加湿温風機１００の電源の「入」、「切」を行う電源スイッチ１２１と、温風運転を連続的に行う温風連続スイッチ１２２と、設定温度に合わせて温風運転を行う温風室温スイッチ１２３と、加湿運転を行う加湿スイッチ１２４と、静電霧化運転を行う静電霧化スイッチ１２５と、入タイマを設定する入タイマスイッチ１２６と、切タイマを設定する切タイマスイッチ１２７と、子供のいたずら等の誤操作をロックするロックスイッチ１２８と、加湿部１９０のメンテナンス後に操作するリセットスイッチ１２９が設けられている。
【００３２】
また、操作部１２０には上記の各種スイッチの操作状態を表示する複数の表示ランプが設置されている。
【００３３】
なお、本実施の形態における加湿温風機１００は、加湿風路１５３とは別に温風風路１５２を設けるとともに、風路を切り替えるダンパ２００と切り替え操作を行う操作スイッチとを設け、「温風」と「加湿温風」とが選択できる構成としたが、これに限るものではなく、例えば、風路は加湿風路１５３のみとし、ダンパ２００および切り替え操作を行う操作スイッチを設けない構成とし、送風機１６０による送風が全て加湿部１９０に供給されるものを加湿機と定義する。なお、ヒータ１７０は加湿機の必須の構成要素ではないが、加湿性能を向上するためにヒータ１７０を備えた構成であってもよい。また、静電霧化部１８０も加湿機の必須の構成要素ではない。
【００３４】
＜２＞静電霧化部の構成
図２に示すように、静電霧化部１８０は、送風機１６０とヒータ１７０との間の風路１５０から分岐した静電霧化風路１５１内に静電霧化ユニット１８１が設置されている。
【００３５】
静電霧化ユニット１８１は、送風機１６０で送風された空気中の水分を結露させて水を生成する結露水生成部と、生成された水に電圧を印加する霧化電極と、霧化電極に対向して設けられた対向電極とで構成されている。
【００３６】
結露水生成部は、冷却基板と放熱基板とを有するペルチェ素子を主構成部材とし、ペルチェ素子の冷却基板には尖鋭形状の霧化電極が設置されており、ペルチェ素子の冷却基板に結露した水が霧化電極に搬送される構成となっている。
【００３７】
尖鋭形状の霧化電極と対向する位置に、霧化電極を包囲するように略ドーム状の対向電
極が配置されており、霧化電極と対向電極の間に約３５００Ｖの直流電流が印加することにより、霧化電極に搬送された結露水にレイリー分裂を生じさせ、ナノメートルサイズの帯電微粒子水が発生する。
【００３８】
すなわち、静電霧化ユニット１８１を通過後の空気は、ナノメートルサイズの帯電微粒子水が含まれたものであり、吹出口１４０から帯電微粒子水が放出される。ナノメータサイズの帯電微粒子水は、アンモニア、アセトアルデヒド、酢酸、メタン、一酸化炭素、一酸化窒素、ホルムアルデヒド等の臭気成分の分解除去と各種菌類への殺菌効果を備えており、室内に浮遊および壁面や床面に付着した臭気成分や菌類に対して脱臭と除菌および殺菌の効果を発揮することができる。
【００３９】
＜３＞加湿部の構成
図６は給水タンクの外観を示す斜視図であり、図７は給水タンクの断面図であり、図８は蓋の断面図であり、図９は抗菌ユニットを分解した状態の蓋の詳細を示す斜視図であり、図１０は抗菌ユニットを取り付けた状態の蓋の斜視図であり、図１１は加湿レートとフィルタトレーと加湿フィルタの分解状態を示す斜視図であり、図１２は加湿レートの平面図を示すものである。なお、図１１および図１２は加湿トレーを後ろ側から見た状態を示したものである。
【００４０】
図２および図３に示すように、加湿部１９０は、加湿に使用する水を貯水する給水タンク２１０と、給水タンク２１０から流出した水を貯溜する加湿トレー２２０と、水を気化させる加湿フィルタ２３０と、加湿フィルタ２３０を加湿トレー２２０に取り付けるフィルタトレー２５０を主構成部材として構成されている。
【００４１】
図６および図７に示すように、給水タンク２１０は、半透明の樹脂材料で成型された容量約３リットルのボトル形状のタンク本体２１１と、タンク本体２１１の下面に設けた給水口２１１ａに着脱自在に螺合する蓋２１２と、タンク本体２１１の上面に設けられた略コの字型の取っ手２１３と、タンク本体２１１の側部に設置されタンク開口１１１を閉塞する閉塞部材２１４で構成されている。
【００４２】
図８に示すように、蓋２１２の中央部には、ばねの付勢力により自動的に閉止される閉止栓２１２ａが設けられており、給水タンク２１０が加湿トレー２２０の所定位置にセットされた場合に閉止栓２１２ａが自動的に開放され、給水タンク２１０の水が加湿トレー２２０に供給される。
【００４３】
また、蓋２１２の内側には、閉止栓２１２ａを取り囲むように抗菌ユニット２８０が設置されている。抗菌ユニット２８０は格子状の抗菌ユニットカバー２８１の内部に円筒形状に形成された抗菌剤２８２が収容されている。
【００４４】
図９に示すように、抗菌ユニットカバー２８１は円筒形状の上面２８１ａと外周面２８１ｂと内周面２８１ｃが格子状に形成されており、抗菌ユニットカバー２８１の外側と内側とは水が相互に流通可能な構成となっている。また、外周面２８１ｂの下端部の対抗する位置には抗菌ユニットカバー２８１を蓋２１２に係止する略鉤型状の係止部２８１ｄが形成されている。
【００４５】
一方、蓋２１２の閉止栓２１２ａの外周部は円筒形状のカバー受部２１２ｂが形成されており、カバー受部２１２ｂの外周面には対抗する位置に係止突起２１２ｃが形成されている。
【００４６】
図１０に示すように、抗菌ユニットカバー２８１をカバー受部２１２ｂに嵌合させて、
回転させることにより、抗菌ユニットカバー２８１の係止部２８１ｄが蓋の係止突起２１２ｃに係止し、抗菌ユニットカバー２８１は蓋２１２に固定される。
【００４７】
抗菌剤２８２は、無機イオン交換体である六方晶リン酸ジルコニウムに、イオン交換で銀イオンを担持させた無機系抗菌剤をポリエチレン樹脂に混練し、ペレット状に成型したものを円環状形成したネット状の袋に入れたものである。
【００４８】
図８に示すように、タンク本体２１１から加湿トレー２２０に供給される水は、抗菌ユニットカバー２８１の上面２８１ａと外周面２８１ｂの格子状の開口から図の矢印Ａ１およびＡ２で示すように抗菌ユニットカバー２８１内に流入し、抗菌剤２８２の隙間を通過し、内周面２８１ｃの開口より矢印Ｂで示すように閉止栓２１２ａより加湿トレー２２０に流入する。抗菌剤２８２を水が通過する間に抗菌成分が水に添加される。
【００４９】
また、加湿トレー２２０に流入されず給水タンク２１０に留まっている水も、抗菌ユニットカバー２８１の上面２８１ａと外周面２８１ｂと内周面２８１ｃが格子状に形成されているため給水タンク２１０内に抗菌剤２８２が溶け出すことにより抗菌成分を添加することができる。
【００５０】
取っ手２１３は略コの字型の形状をしており両端部がタンク本体２１１の上部に起倒自在に枢支されている。図６に示すように取っ手２１３はタンク本体２１１の上面に倒置した収容位置に収容された状態で本体１１０内に収容される。また、給水タンク２１０を本体１１０から取り出した状態では、取っ手２１３を起立させることにより保持部２１３ａを握って給水タンク２１０を容易に持ち運びすることができる。
【００５１】
また、給水タンク２１０の側部には閉塞部材２１４が設置されており、閉塞部材２１４は給水タンク２１０を本体１１０に設置した状態で、タンク開口１１１の全面を閉塞し、外表面は本体１１０の外表面と連続的な形状を成すように形成されており、タンク本体２１１にねじで固定されている。
【００５２】
閉塞部材２１４の上端部には閉塞部材２１４を本体１１０に係止する係止部２１４ｂが設置されている。係止部２１４ｂは弾性により本体１１０に係止され、開放する場合は閉塞部材２１４の上部に設けられたロック解除ボタン２１４ｃを押すことにより開放される。
【００５３】
また、閉塞部材２１４の上部には表面より凹陥した引き手２１４ｄが形成されており、引き手２１４ｄに指をかけて引き出すことにより閉塞部材２１４の下端部を支点とするように回動させながら給水タンク２１０を本体１１０より取り外すことができる。
【００５４】
図１１および図１２に示すように、加湿トレー２２０は給水タンク２１０から水を受ける水受部２２１と、加湿フィルタ２３０に供給する水を貯水する貯水部２２２と、貯水部の水位を検知する水位検知部の構成部材であるフロート槽２４０で構成されている。本実施の形態においては、加湿トレー２２０の右側に水受部２２１と、中央部に貯水部２２２と左側にフロート槽２４０が配置されている。
【００５５】
水受部２２１は略円形の凹陥形状であり、その中央には円柱状の突出部２２３が形成されており、給水タンク２１０の閉止栓２１２ａが突出部２２３に当接することにより、閉止栓２１２ａが開放される構成となっている。
【００５６】
貯水部２２２は略長方形の箱状に形成されており、貯水部２２２の内部には貯水部２２２と略相似形のフィルタトレー２５０が設置されている。フィルタトレー２５０の底面に
は複数の開口が設けられており、貯水部２２２に貯水された水が流入する構成となっている。フィルタトレー２５０は加湿トレー２２０より耐熱性の高い樹脂材料で成型されており、加湿部１９０に送風される温風で加湿トレー２２０が変形することを防止するとともに、加湿フィルタ２３０を加湿トレー２２０に固定する機能を備えている。
【００５７】
水受部２２１と貯水部２２２とフロート槽２４０は連通溝で連通しており、水受部２２１で給水タンク２１０より給水された水は連通溝を介して貯水部２２２とフロート槽２４０に供給されて一定の水位で維持される。
【００５８】
フロート槽２４０には水位の変動により浮動するフロート２７０が設置されており、フロート２７０に内蔵された磁石（図示せず）と本体１１０に設置されたリードスイッチ（図示せず）で構成された水位検知部の検知結果に基づいて加湿温風機１００の運転が制御される。
【００５９】
また、加湿トレー２２０の後方上部には、加湿トレー２２０を本体１１０にロックするロック機構２２４が設置されており、背面下部には加湿トレー２２０を本体１１０から引き出すときに使用する引き手２２５が一体に形成されている。
【００６０】
加湿フィルタ２３０は樹脂材料で成型した略直方体のフィルタケース２３１と、フィルタケース２３１に内装されたフィルタ材２３２で構成されている。フィルタケース２３１は網目状に形成されており、その内外が通風可能な構成となっている。フィルタ材２３２は樹脂繊維の不織布を蛇行形状に折り曲げて形成した吸水性能および耐熱性の優れたものである。
【００６１】
図５に示すように、加湿トレー２２０は本体１１０背面の下部に設けられたトレー開口１１２より収容および取り出しを行うことができる。また、本実施の形態におけるタンク開口１１１とトレー開口１１２は中間部に仕切等を配設せず連続して一体的に形成された開口となっている。
【００６２】
＜４＞加湿温風機の動作、作用
加湿温風機１００を使用する場合、準備作業として第１に給水タンク２１０への水の充填作業を行う。充填作業を行うときは、タンク本体２１１から蓋２１２を取り外し、給水タンク２１０を倒立させて取っ手２１３を回動させて最大に開放することにより、取っ手２１３と閉塞部材２１４を脚として自立させることができる。
【００６３】
この状態で蓋２１２をタンク本体２１１から取り外し、蓋２１２に設置されている抗菌ユニットカバー２８１を取り外し、内部に抗菌剤を収容し抗菌ユニットカバー２８１をカバー受部２１２ｂに嵌合させて、回転させることにより、抗菌ユニットカバー２８１の係止部２８１ｄが蓋の係止突起２１２ｃに係止し、抗菌ユニットカバー２８１は蓋２１２に固定される。
【００６４】
蓋２１２をタンク本体２１１から取り外した状態で、給水口２１１ａからタンク本体２１１内に水を充填する。充填終了後に蓋２１２を閉めることにより充填作業は終了する。
【００６５】
次に、加湿フィルタ２３０とフィルタトレー２５０を加湿トレー２２０の貯水部２２２にセットし、本体１１０背面のトレー開口１１２から押し込む。加湿トレー２２０が所定位置まで押し込まれたら、ロック機構２２４により本体１１０に固定される。
【００６６】
次に水を充填した給水タンク２１０を底部が上になる起立状態で保持し、タンク開口１１１から蓋２１２を加湿トレー２２０の水受部２２１に挿入して、上部をタンク開口１１
１に押し付けることにより、閉塞部材２１４の係止部２１４ｂが本体１１０に係止して給水タンク２１０は本体１１０に固定される。
【００６７】
上記の準備作業完了状態において、給水タンク２１０の水は抗菌ユニット２８０の抗菌ユニットカバー２８１の上面２８１ａと外周面２８１ｂの格子状の開口から図８の矢印Ａ１およびＡ２で示すように抗菌ユニットカバー２８１内に流入し、抗菌剤２８２の隙間を通過し、内周面２８１ｃの開口より矢印Ｂで示すように閉止栓２１２ａより加湿トレー２２０に流入する。抗菌剤２８２を水が通過する間に抗菌成分が水に添加される。
【００６８】
また、加湿トレー２２０に流入されず給水タンク２１０に留まっている水も、抗菌ユニットカバー２８１の上面２８１ａと外周面２８１ｂと内周面２８１ｃが格子状に形成されているため給水タンク２１０内に抗菌剤２８２が溶け出すことにより抗菌成分が添加される。
【００６９】
加湿トレー２２０の水受部２２１に流出した水は貯水部２２２およびフロート槽２４０に流入し、所定の水位に達したら停止する。この状態で加湿フィルタ２３０の下側の約１／３は水没した状態になり、毛細管現象によりフィルタ材２３２全体が吸水状態となる。
【００７０】
貯水部２２２が所定の水位に達して給水が停止した状態において、フロート２７０はフロート槽２４０の所定の高さに浮き上がっており、水位検知部のリードスイッチ（図示せず）はＯＮの状態となっており、操作部１２０の加湿スイッチ１２４の操作が可能な状態となる。
【００７１】
加湿温風機１００の運転を開始する場合、まず操作部１２０の電源スイッチ１２１を「入」にし、次に好みの運転モードを選択する。運転モードとしては、「温風」、「加湿」、「静電霧化」３つの基本的な運転モードがあるが、これに加え「温風」と「加湿」を同時に行う「加湿温風」の運転モードがある。また、「静電霧化」の運転モードは単独の運転モードに加え、他の「温風」、「加湿」、「加湿温風」の運転モードとの同時運転が可能な構成となっている。
【００７２】
温風モードの運転を行う場合は、温風連続スイッチ１２２か温風室温スイッチ１２３のどちらかを選択操作する。温風連続スイッチ１２２を選択した場合には、加湿温風機１００はヒータ１７０が「強」または「弱」の容量で室温に関係なく温風を吹き出す。また、温風室温スイッチ１２３を選択した場合、室温に連動してヒータ１７０の容量を切り換えて室温を所定温度に保つように運転する。
【００７３】
温風モードの運転を行う場合は、ダンパ２００は加湿風路１５３を閉じる位置Ｄに配置され、温風は温風風路１５２のみに供給され吹出口１４０から直接吹き出す。この場合、吹き出す温風は高温で乾燥した状態のものであり、このモードは短時間の部屋の暖房や、乾燥を目的とした使用に適している。
【００７４】
加湿モードの運転を行う場合は加湿スイッチ１２４を操作する。加湿モードの運転の場合、ヒータ１７０の容量は低容量（約６００）に設定される。ダンパ２００は温風を主に加湿風路１５３に送風する位置Ｃに配置され、低温の温風は温風風路１５２と加湿風路１５３の両方に送風され、温風風路１５２を通過した乾燥状態の温風と、加湿風路１５３を通過し加湿部１９０で加湿された加湿空気が吹出口１４０の手前で混合され、吹出口１４０から吹き出す。
【００７５】
このモードの場合、温風の一部を温風風路１５２から直接吹き出させることにより、流速の早い温風が吹出口１４０の手前で混合する加湿空気を効率的に吸引して吹き出す効果
を得ることができる。
【００７６】
温風モードの運転と加湿モードの運転を同時に行う加湿温風モードの運転を行う場合を、上記のように温風連続スイッチ１２２か温風室温スイッチ１２３のどちらかと加湿スイッチを操作する。
【００７７】
加湿温風モードの運転の場合、ダンパ２００の位置および送風状態は加湿運転の場合と同じであるが、ヒータ１７０の容量が１２００Ｗの最大容量で運転される。そのため、適度に加湿された温風が吹き出し、長時間に亘り部屋を快適に暖房する場合に最も適したモードである。
【００７８】
静電霧化モードの運転を行う場合は静電霧化スイッチ１２５を操作する。静電霧化スイッチ１２５を操作することにより、静電霧化ユニット１８１に通電され、静電霧化ユニット１８１は送風機１６０から送風された空気に含まれる水分からナノメートルサイズの帯電微粒子を発生し、帯電微粒子を含む空気を吹出口１４０から吹き出す。
【００７９】
静電霧化モードの運転は、単独運転で実施することに加え、温風運転、加湿運転、加湿温風運転の各運転モードと同時に運転することが可能であり、いずれ運転モードにおいても室内に浮遊および壁面や床面に付着した臭気成分や菌類に対して脱臭と除菌および殺菌の効果を発揮することができる。
【００８０】
運転を停止する場合は、電源スイッチ１２１を「切」操作することにより、加湿温風機１００の運転が停止する。
【００８１】
運転停止の状態で、給水タンク２１０の水の補充や加湿フィルタ２３０および抗菌ユニット２８０のメンテナンス等を実施することができる。給水タンク２１０を本体１１０から取り外す場合は、閉塞部材２１４の上部に設置されたロック解除ボタン２１４ｃを押しながら引き手２１４ｄに指を掛けて引けば上部を手前に引き出すことができ、給水タンク２１０を上方に引き出せば本体１１０より取り外すことができる。
【００８２】
加湿トレー２２０を本体１１０から取り外すときは、加湿トレー２２０の背面の引き手２２５に指を掛けて強く引っ張ることにより本体１１０から引き出すことができる。
【００８３】
加湿フィルタ２３０メンテナンスを行う場合は、加湿フィルタ２３０とフィルタトレー２５０を加湿トレー２２０から取り外して水洗いをすることによりフィルタ材の中に堆積したスケールやごみを取り除ことができる。
【００８４】
抗菌ユニット２８０のメンテナンスを行う場合は、抗菌ユニットカバー２８１に通気孔が空いているため、蓋２１２に抗菌ユニット２８０を取り付けたまま水洗いをすることで蓄積したスケールやごみを取り除くことができる。また、抗菌ユニットカバー２８１を取り外し抗菌剤２８２を取り替えることもできる。
【００８５】
以上のように、本実施に形態の加湿温風機１００は、抗菌ユニットカバーを着脱して抗菌剤を交換することが可能となり、抗菌剤を交換することにより高い抗菌機能を長期間に亘って安定して維持することができる。
【００８６】
また、本実施の形態の構成によれば、抗菌剤の効果は給水タンクに貯水されている水と、給水タンクから加湿トレーに給水される両方の水に発揮させることができるため、結果的に加湿機内の全ての水に抗菌作用を発揮させることが可能となる。
【００８７】
なお、本実施の形態においては、抗菌成分としては六方晶リン酸ジルコニウムに銀イオンを担持させた無機系抗菌剤を採用したが、これに限定されるものではなく、銀イオン系の他の構成あるいは銅イオン系の抗菌成分等でもよい。
【００８８】
また、本実施の形態においては、抗菌成分を含む樹脂ペレット状を網状の袋に収容した構成としたが、これに限定されるものではなく、例えば、抗菌成分を含む樹脂ペレットを加熱して押し固めた多孔質状のブロック等の形態でもよい。
【産業上の利用可能性】
【００８９】
以上のように、本発明にかかる加湿機は、水の抗菌機能高めるとともに長期間に亘り安定して維持すること可能となるので、水を使用する他の民生用機器等の用途にも適用できる。
【符号の説明】
【００９０】
１００  加湿温風機
１１０  本体
１２０  操作部（操作手段）
１３０  吸気口
１４０  吹出口
１５０  風路
１５２  温風風路
１５３  加湿風路
１６０  送風機
１７０  ヒータ
２００  ダンパ
２１０  給水タンク
２１１  タンク本体
２１１ａ  給水口
２１２  蓋
２１２ａ  閉止栓
２２０  加湿トレー
２３０  加湿フィルタ
２８０  抗菌ユニット
２８１  抗菌ユニットカバー
２８２  抗菌剤
【図１３】
2013155958.tif 000003
【図１】
2013155958.tif 000004
【図２】
2013155958.tif 000005
【図３】
2013155958.tif 000006
【図４】
2013155958.tif 000007
【図５】
2013155958.tif 000008
【図６】
2013155958.tif 000009
【図７】
2013155958.tif 000010
【図８】
2013155958.tif 000011
【図９】
2013155958.tif 000012
【図１０】
2013155958.tif 000013
【図１１】
2013155958.tif 000014
【図１２】
2013155958.tif 000015